(57)【要約】【課題】光による装飾を行うにあたり、配設スペースが狭くても適正に配設するようにした光装飾ユニット及びこの光装飾ユニットを備えた遊技機を提供する。【解決手段】光装飾ユニット４００において、環状支持部材４３０は、環状支持壁４３１及び複数のフック４３２を有するように、ポリプロピレン樹脂材料でもって一体的に形成されて、ユニット基板４１０の環状穴部４１５を介し延出されている。発光基板部材４４０は、環状支持壁４３１の外面に沿いその周方向に沿うＦＰＣ４４０ａと、このＦＰＣ４４０ａにその長手方向に間隔をおいて装着した複数のＬＥＤ４４０ｂとを有する。ＦＰＣ４４０ａは、複数のフック４３２により環状支持壁４３１に支持されている。水晶球４２０は、環状支持壁４３１内に収容されてその一端開口部４３１ａからレンズ部材４５０を介し外方を臨んでいる。【選択図】図９
2008125717.tif 000002
【特許請求の範囲】
【請求項１】
湾曲状支持壁と、この支持壁の一側縁部からその湾曲方向において間隔をおいて延出する複数のフックとを、合成樹脂材料でもって一体的に形成してなる支持部材と、
この支持部材の前記湾曲状支持壁の内側に設けられて当該湾曲状支持壁の前記一側縁部から外方を臨む被光装飾部材と、
前記湾曲状支持壁の両面の一方の面にその湾曲方向に沿う長手状フレキシブルプリント配線板と、
当該フレキシブルプリント配線板の前記湾曲状支持壁とは反対側の面にその長手方向に沿い間隔をおいて装着されて前記湾曲状支持壁の前記一側縁部側に向く発光部を有する複数の発光素子とを備えて、
前記湾曲状支持壁は、その前記複数のフックの各々の近傍部位において各係止孔部を形成してなり、
前記フレキシブルプリント配線板は、その前記各係止孔部に対する対応部位において各挿通孔部を形成するとともに、前記複数の発光素子に電気的に接続される配線部を設けてなり、
前記支持部材は、前記複数のフックの各々の延出先端部にて、前記フレキシブルプリント配線板を介しその前記反対側の面から前記各挿通孔部を通りこれに対応する前記各係止孔部に挿通係止されることにより、前記フレキシブルプリント配線板を前記湾曲状支持壁に支持するようにした光装飾ユニット。
【請求項２】
前記支持部材の形成材料はポリプロピレン樹脂材料であり、
前記フレキシブルプリント配線板が沿う前記湾曲状支持壁の両面の一方の面は、当該湾曲状支持壁の外側の面であることを特徴とする請求項１に記載の光装飾ユニット。
【請求項３】
前記複数のフックの各々は、少なくとも前記延出先端部にて、互いに間隔をおいて延出するとともに前記各対応の係止孔部の孔形状よりも大きな形状を構成する複数の頭部として形成されており、
前記支持部材は、前記複数のフックの各々の前記複数の頭部にて、前記フレキシブルプリント配線板を介しその前記反対側の面から前記各挿通孔部を通りこれに対応する前記各係止孔部にその内部にて押圧されながら挿通され、この挿通後原形状に復帰して前記各係止孔部に係止されるようにしたことを特徴とする請求項２に記載の光装飾ユニット。
【請求項４】
前記支持部材は、前記湾曲状支持壁をその他側縁部側にて保持するように前記湾曲状支持壁に設けてなる保持部材を備えて、
前記フレキシブルプリント配線板は、前記湾曲状支持壁の前記他側縁部側の幅方向端部にて、当該湾曲状支持壁と前記保持部材との間に保持されることを特徴とする請求項２または３に記載の光装飾ユニット。
【請求項５】
前記支持部材をその外周面から覆うように当該支持部材に支持されて前記湾曲状支持壁の前記一側縁部に対向するカバー開口部を形成してなるカバーと、
前記湾曲状支持壁の前記一側縁部に対向するレンズ及びこのレンズの外周部に沿い間隔をおいて設けられて前記カバーの前記カバー開口部と前記湾曲状支持壁の前記一側縁部との間に挟持される複数のフランジを有するレンズ部材とを備え、
前記被光装飾部材は、前記湾曲状支持壁の内側に設けられて前記レンズを臨む水晶球を備えており、
前記複数の発光素子は、それぞれ、前記レンズ部材の前記複数のフランジの各両隣接フランジの間を通して外方を臨むように発光部を有してなる発光ダイオードであることを特徴とする請求項２〜４のいずれか１つに記載の光装飾ユニット。
【請求項６】
ユニット基板を備えて、
前記支持部材は、前記ユニット基板に形成した穴部から延出されていることを特徴とする請求項１〜５のいずれか１つに記載の光装飾ユニット。
【請求項７】
機枠と、この機枠にその前後方向に回動可能に支持される遊技機本体と、この遊技機本体にその前後方向に開閉可能に支持される前扉であってその窓穴部に裏面側から支持される窓部材を有する前扉とを備える遊技機において、
請求項１〜５のいずれか１つに記載の光装飾ユニットを備えて、
当該光装飾ユニットは、前記前扉の両上側隅角面の少なくとも一方から前方に延出するように、当該両上側隅角面の少なくとも一方に、前記支持部材にて、着脱可能に設けられており、
前記支持部材は、前記湾曲状支持壁の前記一側縁部にて、前記前扉の内側から外側にかけて左右方向に傾斜していることを特徴とする遊技機。
【請求項８】
前記前扉の両上側隅角面の少なくとも一方に着脱可能に装着されるユニット基板を備えて、
前記支持部材は、前記ユニット基板に形成した穴部から前方へ延出されていることを特徴とする請求項７に記載の遊技機。
【請求項９】
前記前扉或いは前記遊技機本体から前記窓穴部の下側にて前方へ着脱可能に延出する球貯留皿ユニットを備え、
当該球貯留皿ユニットは、
前記前扉或いは前記遊技機本体から前方へ延出する基台と、
当該基台上に着脱可能に設けられて前記前扉或いは前記遊技機本体から前方へ湾曲状に延出する透光性収容部材と、
前記前扉或いは前記遊技機本体から前方へ湾曲状に延出する前壁を有し、この前壁でもって前記収容部材にその後方から着脱可能に装着される球貯留皿と、
前記収容部材にその左右方向に収容される湾曲帯状支持壁部と、この支持壁部からその左右方向にて間隔をおいて延出する複数のフックとを、ポリプロピレン樹脂材料でもって一体的に形成してなる支持部材と、
前記湾曲帯状支持壁部の両面の一方の面にその左右方向に沿い装着される長手状フレキシブルプリント配線板と、
このフレキシブルプリント配線板の前記支持壁部とは反対側の面にその長手方向に沿い間隔をおいて装着されて前記収容部材を通して上方を臨む発光部を有する複数の発光素子とを備えて、
前記支持部材は、前記支持壁部のうちの前記複数のフックの各々の近傍部位において各係止孔部を形成してなり、
前記フレキシブルプリント配線板は、その前記各係止孔部に対する対応部位において各挿通孔部を形成するとともに、前記複数の発光素子に電気的に接続される配線部を設けてなり、
前記支持部材は、前記複数のフックの各々の延出先端部にて、前記フレキシブルプリント配線板を介しその前記反対側の面から前記各挿通孔部を通りこれに対応する前記各係止孔部に挿通係止されることにより、前記フレキシブルプリント配線板を前記支持壁部に支持するようにしたことを特徴とする請求項７または８に記載の遊技機。
【請求項１０】
前記複数の発光素子は、それぞれ、前記収容部材を通して上方を臨むように発光部を有してなる発光ダイオードであり、
前記複数のフックの各々は、前記湾曲帯状支持壁部の両面の他方側へ延出されて、少なくとも前記延出先端部にて、互いに間隔をおいて延出するとともに前記各対応の係止孔部の孔形状よりも大きな形状を構成する複数の頭部として形成されており、
前記支持部材は、前記複数のフックの各々の前記複数の頭部にて、前記フレキシブルプリント配線板を介しその前記反対側の面から前記各挿通孔部を通りこれに対応する前記各係止孔部にその内部にて押圧されながら挿通されて、この挿通後原形状に復帰して前記各係止孔部に係止されるようにしたことを特徴とする請求項９に記載の遊技機。
【発明の詳細な説明】
【技術分野】
【０００１】
本発明は、光装飾ユニット及びこの光装飾ユニットを備えた遊技機に関する。
【背景技術】
【０００２】
従来、例えば、遊技機においては、下記特許文献１に記載された遊技機が提案されている。この遊技機は、スピーカの配置領域を光で装飾するために、次のような構成を採用している。
【０００３】
スピーカは、一対のＬＥＤプリント配線板と共に、前面枠の前面側の透明板保持枠の右側上部にその前面側から配設されて、透光性のレンズカバーにより被覆されている。
【０００４】
ここで、当該スピーカは、レンズカバーの開口部及びこのレンズカバーに設けたパンチメタルの透音孔を通して、透明板保持枠の右側上部の前方側へ音を発するようになっている。また、一対のＬＥＤプリント配線板は、スピーカを中心としてその上部及び左右両側に亘り、透明板保持枠の右側上部に沿い、平板状に配設されており、これらＬＥＤプリント配線板には、それぞれ、複数のＬＥＤが、レンズカバーを通し透明板保持枠の右側上部の前方に向け発光するように実装されている。
【特許文献１】特開平１１−３３３０６０号公報
【発明の開示】
【発明が解決しようとする課題】
【０００５】
ところで、近年の遊技盤の遊技領域が拡大傾向にあることにあわせて、上記遊技機においても、遊技盤の遊技領域を拡大すると、当該遊技領域に対応する透明板保持枠の円形透視窓が拡大し、必然的に、上述した透明板保持枠の右側上部が狭くなる。
【０００６】
従って、上記遊技機において、一対のＬＥＤプリント配線板を、上述のごとく、スピーカを中心としてその上部及び左右両側に亘り、透明板保持枠の右側上部に沿い平板状に配設しようとしても、上述のように透明板保持枠の右側上部が狭いため、当該一対のＬＥＤプリント配線板が透明板保持枠の右側上部に配設されにくいという不具合を招く。
【０００７】
そこで、本発明は、以上のようなことに対処するため、光による装飾を行うにあたり、配設スペースが狭くても適正に配設するようにした光装飾ユニット及びこの光装飾ユニットを備えた遊技機を提供することを目的とする。
【課題を解決するための手段】
【０００８】
上記課題の解決にあたり、本発明に係る光装飾ユニットは、請求項１の記載によれば、
湾曲状支持壁（４３１）と、この支持壁の一側縁部からその湾曲方向において間隔をおいて延出する複数のフック（４３２）とを、合成樹脂材料でもって一体的に形成してなる支持部材（４３０）と、
この支持部材の湾曲状支持壁の内側に設けられて当該湾曲状支持壁の上記一側縁部から外方を臨む被光装飾部材（４２０）と、
湾曲状支持壁の両面の一方の面にその湾曲方向に沿う長手状フレキシブルプリント配線板（４４０ａ）と、
当該フレキシブルプリント配線板の上記湾曲状支持壁とは反対側の面にその長手方向に沿い間隔をおいて装着されて当該湾曲状支持壁の上記一側縁部側に向く発光部（４４４）を有する複数の発光素子（４４０ｂ）とを備える。
【０００９】
ここで、湾曲状支持壁は、その上記複数のフックの各々の近傍部位において各係止孔部（４３１ｃ）を形成してなり、
フレキシブルプリント配線板は、その上記各係止孔部に対する対応部位において各挿通孔部（４４２）を形成するとともに、複数の発光素子に電気的に接続される配線部を設けてなり、
支持部材は、複数のフックの各々の延出先端部（ａ１）にて、フレキシブルプリント配線板を介しその上記反対側の面から上記各挿通孔部を通りこれに対応する上記各係止孔部に挿通係止されることにより、フレキシブルプリント配線板を湾曲状支持壁に支持する。
【００１０】
これによれば、複数の発光素子を、フレキシブルプリント配線板の配線部を通して駆動することで、当該複数の発光素子は、その各発光部から湾曲状支持壁の一側縁部側へ発光して、湾曲状支持壁の一側縁部側から被光装飾部材を光でもって装飾する。その結果、被光装飾部材に対する光装飾効果が良好に確保され得る。
【００１１】
ここで、フレキシブルプリント配線板を複数の発光素子と共に支持部材の湾曲状支持壁に支持するにあたっては、まず、複数の発光素子を上述のように装着してなるフレキシブルプリント配線板を湾曲状支持壁の両面の一方の面にその周方向にて沿わせる。
【００１２】
そして、フレキシブルプリント配線板を介し支持部材の複数のフックの各々を折り曲げて、各フックの延出先端部を、フレキシブルプリント配線板の湾曲状支持壁とは反対側の面から当該フレキシブルプリント配線板の各挿通孔部を通し湾曲状支持壁の各対応の係止孔部に挿通して当該各対応の係止孔部に係止する。これにより、フレキシブルプリント配線板を複数の発光素子と共に湾曲状支持壁に支持する作業が容易にかつ簡単になされ得る。
【００１３】
この場合、支持部材は、湾曲状支持壁及び複数のフックを、上述のごとき構成を有するように、合成樹脂材料でもって一体的に形成されている。従って、わざわざ、別途、複数のフックを準備する必要もなく、上述の支持作業が、複数のフックの弾性を利用して容易にかつ簡単になされ得る。
【００１４】
また、当該光装飾ユニットをその適用対象に取り付けるにあたっては、当該光装飾ユニットは、上記適用対象の取り付け面にその前方へ延出するように取り付けられる。このような状態では、支持部材の湾曲状支持壁は、上記適用対象の取り付け面からその前方へ延出する。このため、複数の発光素子を装着したフレキシブルプリント配線板も、その幅方向において、当該湾曲状支持壁の両面の一方の面に沿い上記適用対象の取り付け面からその前方へ延出することとなる。
【００１５】
ここで、フレキシブルプリント配線板は、剛性を有するプリント配線板等の剛性配線回路板とは、異なり、柔軟性を有するから、当該フレキシブルプリント配線板は、湾曲状支持壁の両面の一方の面に適正に沿うように位置し得る。
【００１６】
従って、フレキシブルプリント配線板は、広い外形寸法を有していても、当該フレキシブルプリント配線板は、上述の剛性配線回路板のように、上記適用対象の取り付け面の面方向に広い取り付けスペースをとることがない。その結果、上記適用対象の取り付け面に対する光装飾ユニットの取り付けスペースが狭くても、当該光装飾ユニットは、上述の剛性配線回路板とは異なり、上記適用対象の取り付け面に適正に取り付けられ得る。
【００１７】
また、本発明は、請求項２の記載によれば、請求項１に記載の光装飾ユニットにおいて、
支持部材の形成材料はポリプロピレン樹脂材料であり、
フレキシブルプリント配線板が沿う湾曲状支持壁の両面の一方の面は、当該湾曲状支持壁の外側の面であることを特徴とする。
【００１８】
このように、支持部材の形成材料をポリプロピレン樹脂材料とすることで、上述したフレキシブルプリント配線板の湾曲状支持壁に対する複数のフックによる支持作業がより一層容易になされ得る。
【００１９】
また、フレキシブルプリント配線板が沿う湾曲状支持壁の両面の一方の面を、当該湾曲状支持壁の外側の面とすることで、被光装飾部材に対する光による装飾が、湾曲状支持壁の内側から隔離された状態でなされる。このため、複数の発光素子の光の全てが、湾曲状支持壁の一側縁部側へ効率よく進行する。その結果、被光装飾部材に対する光装飾が、より一層良好になされ得る。
【００２０】
また、本発明は、請求項３の記載によれば、請求項２に記載の光装飾ユニットにおいて、
複数のフックの各々は、少なくとも上記延出先端部にて、互いに間隔をおいて延出するとともに上記各対応の係止孔部の孔形状よりも大きな形状を構成する複数の頭部（ａ１）として形成されており、
支持部材は、複数のフックの各々の複数の頭部にて、フレキシブルプリント配線板を介しその上記反対側の面から上記各挿通孔部を通りこれに対応する上記各係止孔部にその内部にて押圧されながら挿通され、この挿通後原形状に復帰して上記各係止孔部に係止されるようにしたことを特徴とする。
【００２１】
これにより、複数のフックが、それぞれ、複数の頭部にて、対応の係止孔部にしっかりと抜け止めされて係止することとなる。その結果、請求項２に記載の発明の作用効果がより一層向上され得る。
【００２２】
また、本発明は、請求項４の記載によれば、請求項２または３に記載の光装飾ユニットにおいて、
支持部材は、湾曲状支持壁をその他側縁部側にて保持するように当該湾曲状支持壁に設けてなる保持部材（４３０ｃ）を備えて、
フレキシブルプリント配線板は、湾曲状支持壁の上記他側縁部側の幅方向端部にて、当該湾曲状支持壁と保持部材との間に保持されることを特徴とする。
【００２３】
このように、フレキシブルプリント配線板が、複数のフックによる湾曲状支持壁の一側縁部側への支持に加えて、湾曲状支持壁の上記他側縁部側の幅方向端部にて、当該湾曲状支持壁と保持部材との間に保持されることで、当該フレキシブルプリント配線板は、その両幅方向端部の双方から、湾曲状支持壁により支持されることとなる。その結果、フレキシブルプリント配線板の湾曲状支持壁の支持がその全体に亘りより一層良好になされ得る。
【００２４】
また、本発明は、請求項５の記載によれば、請求項２〜４のいずれか１つに記載の光装飾ユニットにおいて、
支持部材をその外周面から覆うように当該支持部材に支持されて湾曲状支持壁の上記一側縁部に対向するカバー開口部（４６３）を形成してなるカバー（４６０）と、
湾曲状支持壁の上記一側縁部に対向するレンズ（４５１）及びこのレンズの外周部に沿い間隔をおいて設けられてカバーの上記カバー開口部と湾曲状支持壁の上記一側縁部との間に挟持される複数のフランジ（４５２）を有するレンズ部材（４５０）とを備え、
被光装飾部材は、湾曲状支持壁の内側に設けられてレンズを臨む水晶球（４２０）を備えており、
複数の発光素子は、それぞれ、レンズ部材の複数のフランジの各両隣接フランジの間を通して外方を臨むように発光部を有してなる発光ダイオードであることを特徴とする。
【００２５】
これによれば、カバーが支持部材をその外周面から覆うように当該支持部材に支持されることで、フレキシブルプリント配線板及び複数の発光ダイオードがカバーにより包囲されることとなる。その結果、当該フレキシブルプリント配線板は、複数の発光ダイオードと共に、カバーにより、外部から良好に保護され得る。
【００２６】
また、各発光ダイオードは、その発光部にて、レンズ部材の複数のフランジの各両隣接フランジの間を通して外方を臨むので、当該各発光素子からの光は、複数のフランジのいずれかによって邪魔されることなく、良好に外方に進む。この結果、各発光ダイオードによるレンズ及び水晶球に対する光装飾が良好になされ得る。
【００２７】
また、本発明は、請求項６の記載によれば、請求項１〜５のいずれか１つに記載の光装飾ユニットにおいて、
ユニット基板（４１０）を備えて、
支持部材は、ユニット基板に形成した穴部（４１５）から延出されていることを特徴とする。
【００２８】
これにより、光装飾ユニットは、ユニット基板でもって、適用対象の取り付け面に取り付けられ得る。このことは、光装飾ユニットが、ユニット基板の付加でもって、ユニット化されたものとして、適用対象の取り付け面に取り付けられ得ることを意味する。その結果、請求項１〜５のいずれか１つに記載の発明の作用効果が、ユニット化された光装飾ユニットのもとに達成され得る。
【００２９】
また、本発明に係る遊技機は、請求項７の記載によれば、機枠（１００）と、この機枠にその前後方向に回動可能に支持される遊技機本体（２００）と、この遊技機本体にその前後方向に開閉可能に支持される前扉であってその窓穴部（３１１）に裏面側から支持される窓部材（３２０）を有する前扉（３００）とを備える。
【００３０】
当該遊技機において、請求項１〜５のいずれか１つに記載の光装飾ユニット（４００）を備えて、
当該光装飾ユニットは、前扉の両上側隅角面の少なくとも一方から前方に延出するように、当該両上側隅角面の少なくとも一方に、支持部材にて、着脱可能に設けられており、
支持部材は、湾曲状支持壁の上記一側縁部にて、前扉の内側から外側にかけて左右方向に傾斜していることを特徴とする。
【００３１】
これにより、請求項１〜５のいずれか１つに記載の発明の作用効果を達成し得る遊技機の提供が可能となる。ここで、湾曲状支持壁は、上記一側縁部にて、前扉の内側から外側にかけて左右方向に傾斜しているので、遊技者が当該遊技機の前扉をその左右方向のいずれかの方向から視認する場合には、光装飾ユニットの光による装飾が、容易に視認され得る。このことは、光装飾ユニットによる遊技機に対する光装飾効果が、遊技機の左右方向のいずれかの方向から確保され得ることを意味する。
【００３２】
また、本発明は、請求項８の記載によれば、請求項７に記載の遊技機において、
前扉の両上側隅角面の少なくとも一方に着脱可能に装着されるユニット基板（４１０）を備えて、
支持部材は、ユニット基板に形成した穴部（４１５）から前方へ延出されていることを特徴とする。
【００３３】
このように、光装飾ユニットは、ユニット基板でもって、前扉の両上側隅角面の少なくとも一方に装着されるようにしたので、光装飾ユニットが、ユニット化されたものとして、前扉の両上側隅角面の少なくとも一方に装着され得る。その結果、請求項７に記載の発明の作用効果が、ユニット化された光装飾ユニットのもとに達成され得る。
【００３４】
また、本発明は、請求項９の記載によれば、請求項７または８に記載の遊技機において、
前扉或いは遊技機本体から上記窓穴部の下側にて前方へ着脱可能に延出する球貯留皿ユニット（５００）を備える。
【００３５】
当該球貯留皿ユニットは、
前扉或いは遊技機本体から前方へ延出する基台（５１０）と、
当該基台上に着脱可能に設けられて前扉或いは遊技機本体から前方へ湾曲状に延出する透光性収容部材（５４０）と、
前扉或いは遊技機本体から前方へ湾曲状に延出する前壁（５５１）を有し、この前壁でもって収容部材にその後方から着脱可能に装着される球貯留皿（５５０）と、
収容部材にその左右方向に収容される湾曲帯状支持壁部（５２１）と、この支持壁部からその左右方向にて間隔をおいて延出する複数のフック（５２０ｂ）とを、ポリプロピレン樹脂材料でもって一体的に形成してなる支持部材（５２０）と、
湾曲帯状支持壁部の両面の一方の面にその左右方向に沿い装着される長手状フレキシブルプリント配線板（５３０ａ）と、
このフレキシブルプリント配線板の支持壁部とは反対側の面にその長手方向に沿い間隔をおいて装着されて収容部材を通して上方を臨む発光部を有する複数の発光素子（５３０ｂ）とを備えて、
支持部材は、支持壁部のうちの複数のフックの各々の近傍部位において各係止孔部（５２１ｂ）を形成してなり、
フレキシブルプリント配線板は、その上記各係止孔部に対する対応部位において各挿通孔部（５３２）を形成するとともに、複数の発光素子に電気的に接続される配線部を設けてなり、
支持部材は、複数のフックの各々の延出先端部にて、フレキシブルプリント配線板を介しその上記反対側の面から上記各挿通孔部を通りこれに対応する上記各係止孔部に挿通係止されることにより、フレキシブルプリント配線板を支持壁部に支持するようにしたことを特徴とする。
【００３６】
これによれば、複数の発光素子を、フレキシブルプリント配線板の配線部を通して駆動することで、当該複数の発光素子は、その各発光部から収容部材を通し上方へ発光する。このため、球貯留皿ユニットは、その収容部材の上方にて光でもって装飾される。その結果、球貯留皿ユニットによる光装飾効果が良好に確保され得る。
【００３７】
ここで、フレキシブルプリント配線板を複数の発光素子と共に支持壁に支持するにあたっては、まず、複数の発光素子を上述のように装着してなるフレキシブルプリント配線板を支持壁部の両面の一方の面にその左右方向に沿わせる。
【００３８】
そして、フレキシブルプリント配線板を介し支持部材の複数のフックの各々を折り曲げて、各フックの延出先端部を、フレキシブルプリント配線板の支持壁部とは反対側の面から当該フレキシブルプリント配線板の各挿通孔部を通し支持壁の各対応の係止孔部に挿通して当該各対応の係止孔部に係止する。これにより、フレキシブルプリント配線板を複数の発光素子と共に支持壁部に支持する作業が容易にかつ簡単になされ得る。
【００３９】
この場合、支持部材は、支持壁部及び複数のフックを、上述のごとき構成を有するように、ポリプロピレン樹脂材料でもって一体的に形成されている。従って、わざわざ、別途、複数のフックを準備する必要もなく、上述の支持作業が、複数のフックの弾性を利用して容易にかつ簡単になされ得る。
【００４０】
また、当該球貯留皿ユニットを前扉に装着するにあたっては、当該球貯留皿ユニットは前扉の前面にその前方へ延出するように装着される。このような状態では、支持部材の支持壁部は、前扉の前面からその前方へ延出する。このため、複数の発光素子を装着したフレキシブルプリント配線板は、球貯留皿ユニット内にて、その幅方向において、湾曲状支持壁部の両面の一方の面に沿い前扉の前面からその前方へ延出することとなる。
【００４１】
ここで、球貯留皿ユニットにおいて、フレキシブルプリント配線板は、剛性を有するプリント配線板等の剛性配線回路板とは、異なり、柔軟性を有するから、当該フレキシブルプリント配線板は、湾曲状支持壁部の両面の一方の面に沿い適正に沿うように位置し得る。
【００４２】
従って、球貯留皿ユニットにおいて、フレキシブルプリント配線板は、広い外形寸法を有していても、当該フレキシブルプリント配線板は、上述の剛性配線回路板のように、収容部材の内部にて、前扉における装着面の面方向に広い装着スペースをとることがなく、球貯留皿ユニットも前扉における装着面の面方向には広い装着スペースをとることがない。
【００４３】
その結果、前扉の前面における窓穴部の下側スペースが狭いために、球貯留皿ユニットの装着スペースが狭くても、当該球貯留皿ユニットは、上述の剛性配線回路板とは異なり、前扉の前面における窓穴部の下側スペースに適正に装着され得る。
【００４４】
以上により、前扉の前面において光装飾ユニットを装着するスペース及び前扉或いは遊技機本体の前面において球貯留皿ユニットを装着するスペースが狭くても、当該光装飾ユニットを前扉の前面に適正に装着できるとともに球貯留皿ユニットを前扉或いは遊技機本体の前面に適正に装着でき、かつこれら光装飾ユニット及び球貯留皿ユニットによるそれぞれの光装飾効果を良好に確保し得る遊技機の提供が可能となる。
【００４５】
また、本発明は、請求項１０の記載によれば、請求項９に記載の遊技機において、
複数の発光素子は、それぞれ、収容部材を通して上方を臨むように発光部を有してなる発光ダイオードであり、
複数のフックの各々は、湾曲帯状支持壁部の両面の他方側へ延出されて、少なくとも上記延出先端部にて、互いに間隔をおいて延出するとともに上記各対応の係止孔部の孔形状よりも大きな形状を構成する複数の頭部（ａ１）として形成されており、
支持部材は、複数のフックの各々の複数の頭部にて、フレキシブルプリント配線板を介しその上記反対側の面から上記各挿通孔部を通りこれに対応する上記各係止孔部にその内部にて押圧されながら挿通されて、この挿通後原形状に復帰して上記各係止孔部に係止されるようにしたことを特徴とする。
【００４６】
これにより、球貯留皿ユニットにおいても、複数のフックが、それぞれ、複数の頭部にて、対応の係止孔部にしっかりと抜け止めされて係止することとなる。その結果、請求項９に記載の発明の作用効果がより一層向上され得る。
【００４７】
なお、上記各手段の括弧内の符号は、後述する実施形態に記載の具体的手段との対応関係を示す。
【発明を実施するための最良の形態】
【００４８】
以下、本発明の一実施形態を図面により説明する。
【００４９】
図１は、本発明を適用してなるパチンコ遊技機の一実施形態を示している。このパチンコ遊技機は、パチンコホール内の島に他のパチンコ遊技機と共に立設されており、当該パチンコ遊技機は、四角環状の機枠１００と、遊技機本体２００と、前扉３００とを備えている。なお、図１において、紙面に向かって当該紙面の左側及び右側が当該パチンコ遊技機の左側及び右側に対応する。また、当該紙面の前後両側及び上下両側が当該パチンコ遊技機の前後両側及び上下両側に対応する。
【００５０】
遊技機本体２００は、枠状本体２１０（図９参照）及び遊技盤２２０（図１参照）を備えており、枠状本体２１０は、その左側縁部にて、機枠１００の左側縁部に前後方向に回動可能に支持されている。遊技盤２２０は、枠状本体２１０の中央穴部２１１に嵌装されており、この遊技盤２２０は、図柄表示装置２２１及び入賞装置２２２等の各種装置を備えている。
【００５１】
前扉３００は、板状前枠３１０及び窓部材３２０を備えており、板状前枠３１０は、その左側縁部にて、枠状本体２１０の左側縁部に前後方向に開閉可能に支持されている。窓部材３２０は、板状前枠３１０の中央窓穴部３１１にその裏面側から支持されている。
【００５２】
また、前扉３００は、図１にて示すごとく、左右両側光装飾ユニット４００を備えており、これら左右両側光装飾ユニット４００は、それぞれ、板状前枠３１０の左上側隅角面及び右上側隅角面に着脱可能に取り付けられている。
【００５３】
右側光装飾ユニット４００は、図２〜図４のいずれかにて示すごとく、ユニット基板４１０、水晶球４２０、環状支持部材４３０、発光基板部材４４０、レンズ部材４４０及び筒状カバー４６０を備えている。
【００５４】
ユニット基板４１０は、図２、図３或いは図４から分かるように、前壁４１１の上縁部、右縁部及び左下側傾斜縁部からその裏面側へ上壁４１２、右壁４１３及び傾斜壁４１４をＬ字状に延出して構成されている。
【００５５】
このユニット基板４１０は、図９にて示すごとく、板状前枠３１０の右上側隅角面に形成した切り欠き部３１２内に嵌着されており、当該ユニット基板４１０は、上壁４１２、右壁４１３及び傾斜壁４１４にて、枠状本体２１０の右上側隅角面に着座固定されている。なお、上壁４１２及び右壁４１３は、板状前枠３１０の上側縁部及び右側縁部に沿うように直線状となっているが、傾斜壁４１４は、前扉３００の中央窓穴部３１１の外周に沿うように略円弧状となっている。
【００５６】
環状支持部材４３０は、図５にて拡大して示すごとく、略環状フランジ４３０ａ、環状体４３０ｂ及び環状保持壁４３０ｃを有するように、ポリプロピレン樹脂材料でもって、一体的に形成されている。
【００５７】
環状体４３０ｂ及び環状保持壁４３０ｃは、図５にて示すごとく、共に、フランジ４３０ａの内周縁部からこれに直角に環状にて延出してなるもので、これら環状体４３０ｂ及び環状保持壁４３０ｃは、図９にて示すように、ユニット基板４１０に形成した環状穴部４１５にその裏面側から挿通されて、筒状カバー４６０を介し環状穴部４１５に同軸的に支持されている。なお、フランジ４３０ａは、図９にて示すごとく、ユニット基板４１０の環状穴部４１５にその裏面側から筒状カバー４６０の環状フランジ部４６２（後述する）を介し装着されている。
【００５８】
環状体４３０ｂは、図５にて示すごとく、環状支持壁４３１及び５つのフック４３２を備えている。環状支持壁４３１は、図９にて明らかに示すように、その一端開口部４３１ａにて、図９の図示左右方向（図３の図示左右方向）に傾斜して形成されている。詳細には、環状支持壁４３１の一端開口部４３１ａは、図９にて図示左側から右側にかけてユニット基板４１０に近づくように傾斜している。
【００５９】
また、５つのフック４３２は、図６にて例示するごとく、それぞれ、支持片４３２ａ及び両フック片４３２ｂを有している。フック４３２毎に、支持片４３２ａは、図５にて示すごとく、環状支持壁４３１に形成した５つの切欠４３１ｂのうちの対応切欠４３１ｂの底部から環状支持壁４３１の中心軸に向けその半径方向に沿い一体的に延出されている。ここで、各切欠４３１ｂは、それぞれ、環状支持壁４３１にその一端開口部４３１ａからフランジ４３０ａの内周縁部に向けてコ字状に切り欠かれて形成されている。なお、５つのフック４３２は、上述のごとく、環状支持部材４３０の構成部位としてポリプロピレン樹脂材料でもって一体的に形成されている。しかも、各フック４３２において、支持片４３２ａ及び両フック片４３２ｂは、それぞれ、所定の肉厚及び外形寸法を有する。従って、各フック４３２は、共に、弾性機能を発揮し得る構成となっている。
【００６０】
また、両フック片４３２ｂは、フック４３２毎に、図８にて示すごとく、環状支持壁４３１に形成した５つの係止孔部４３１ｃ（図５参照）のうちの対応係止孔部４３１ｃに係止するもので、当該両フック片４３２ｂは、図６にて例示するごとく、支持片４３２ａの延出端部からこれに直角な方向へ延出している。
【００６１】
ここで、当該直角な方向は、図５にて示すごとく、環状支持壁４３１の中心軸に沿う方向でその一端開口部４３１ａ側の方向に対応する。また、各係止孔部４３１ｃは、それぞれ、図５にて示すごとく、各切欠４３１ｂよりも環状フランジ４３０ａの内周縁部側の位置にて当該各切欠４３１ｂの底部に対応するように環状支持壁４３１に形成されている。
【００６２】
フック４３２毎に、上述した両フック片４３２ｂは、図６から分かるように、その先端部ａを円柱部ｂの先端部から円錐台末すぼまり状に突出してなる円柱体を、その中心軸に沿う部分を切除することで、分割して形成されている。これにより、両フック片４３２ｂは、それぞれ、支持片４３２ａの延出端部から互いに間隔をおいて延出して、両柱部ｂ１及び上記各対応の係止孔部の孔形状よりも大きな形状を構成する両頭部ａ１として構成されている。
【００６３】
環状保持壁４３０ｃは、図５及び図９にて示すごとく、環状支持壁４３１の外周に沿い環状フランジ４３０ａの内周縁部側から環状支持壁４３１と同軸的に延出している。但し、当該環状保持壁４３０ｃの延出端部は、各係止孔部４３１ｃよりも環状フランジ４３０ａの内周縁部側に位置している。また、環状支持壁４３１と環状保持壁４３０ｃとの間隔は、発光基板部材４４０のフレキシブルプリント配線板４４０ａ（後述する）の板厚よりも幾分広い程度である。
【００６４】
発光基板部材４４０は、図７にて拡大して示すごとく、フレキシブルプリント配線板４４０ａ（以下、ＦＰＣ４４０ａともいう）及び５つの発光ダイオード４４０ｂを備えている。なお、以下、発光ダイオードはＬＥＤともいう。
【００６５】
ＦＰＣ４４０ａは、各ＬＥＤ４４０ｂの駆動制御に必要なプリント配線をフレキシブル基板に印刷して構成されている。当該ＦＰＣ４４０ａは、各切欠４４１及び各挿通孔部４４２にて、図８にて示すごとく、それぞれ、各対応の切欠４３１ｂ及び各係止孔部４３１ｃに重なるように、環状支持壁４３１の外面にその周方向に沿い位置されており、このＦＰＣ４４０ａは、その幅方向両端部のうちフランジ４３０ａ側の端部４４５（以下、幅方向下端部４４５ともいう）にて、環状支持壁４３１のうち環状保持壁４３０ｃに対する環状対応部と環状保持壁４３０ｃとの間に保持されている。
【００６６】
ここで、上述した各切欠４４１は、ＦＰＣ４４０ａを環状支持壁４３１に沿わせた状態にて、当該環状支持壁４３１の各切欠４３１ｂに重なるように、ＦＰＣ４４０ａの幅方向上端部４４３から幅方向下端部４４５に向けて各切欠４３１ｂと同一形状に切り欠かれて形成されている。また、上述した各挿通孔部４４２は、ＦＰＣ４４０ａの環状支持壁４３１に沿う状態にて、当該環状支持壁４３１の各係止孔部４３１ｃに重なるように、各切欠４４１よりもＦＰＣ４４０ａの幅方向下端部４４５側の位置にて、当該ＦＰＣ４４０ａに形成されている。
【００６７】
このように構成したＦＰＣ４４０ａは、図８〜図１０にて示すごとく、環状支持壁４３１にその各フック４３２でもって次のように支持されている。即ち、各フック４３２は、支持片４３２ａにて、互い重なっている両切欠４４１、４３１ｂの内部を介し外方へ折り曲げられて、両フック片４３２ｂにて、各頭部ａ１から互い重なる挿通孔部４４２及び係止孔部４３１ｃに挿通され、各頭部ａ１にて、係止孔部４３１ｃに係止している。
【００６８】
ここで、挿通孔部４４２及び係止孔部４３１ｃへの挿通の際、各頭部ａ１は、係止孔部４３１ｃの内面により互いに近づくように押圧されて変形し、係止孔部４３１ｃへの挿通後、原形に復帰することで、係止孔部４３１ｃにしっかりと抜け止め係止され得る。
【００６９】
５つのＬＥＤ４４０ｂは、図７においてＦＰＣ４４０ａの５つの切欠４４１のうち、ＦＰＣ４４０ａの右端から２つ目と３つ目の切欠４４１との間、３つ目の切欠４４１と４つ目の切欠４４１との間にて、それぞれ、２つずつ、ＦＰＣ４４０ａの外面に装着され、かつ残りの１つのＬＥＤ４４０ｂは、ＦＰＣ４４０ａの右端から４つ目の切欠４４１の左側にてＦＰＣ４４０ａの外面に装着されている。ここで、各ＬＥＤ４４０ｂは、それぞれ、その発光部４４４にて、ＦＰＣ４４０ａの幅方向上端部４４３側に向けその中心軸に平行に発光するようにＦＰＣ４４０ａの外面に装着されている。
【００７０】
レンズ部材４５０は、図９にて示すごとく、環状支持壁４３１の一端開口部４３１ａ上に同軸的に載置されており、このレンズ部材４５０は、平凸レンズ４５１及び複数の円弧状フランジ片４５２でもって構成されている（図４参照）。複数の円弧板状フランジ片４５２は、平凸レンズ４５１の外周部に沿い互いに間隔をおいて装着されて、当該平凸レンズ４５１の平面状底面と同一面内にて外方へ延出している。
【００７１】
しかして、レンズ部材４５０においては、平凸レンズ４５１が、図９にて示すごとく、その頂部にて外方を臨むように、環状支持壁４３１と同軸的に位置し、かつ各フランジ片４５２が、環状支持壁４３１の一端開口部４３１ａ上に後述のように固定されている。なお、複数のフランジ片４５２は、その各両隣接フランジ片４５２の間の領域（図４参照）にて、各ＬＥＤ４４０ｂの発光部４４４に対向するように、環状支持壁４３１の一端開口部４３１ａ上に筒状カバー４６０の開口部４６３により挟持固定されている（図９参照）。
【００７２】
筒状カバー４６０は、図９にて示すごとく、レンズ部材４５０、発光基板部材４４０及び環状支持部材４３０を介し、ユニット基板４１０に組み付けられている。
【００７３】
当該カバー４６０は、円筒壁部４６１、環状フランジ部４６２及び環状開口部４６３（以下、カバー開口部４６３ともいう）を図９にて示す断面形状にて一体的に有するように、透光性樹脂材料でもって形成されている。環状フランジ部４６２は円筒壁部４６１の一端開口部から外方へ半径方向に沿い延出している。カバー開口部４６３は、円筒壁部４６１の他端開口部から内方へ折れ曲がるように延出している。
【００７４】
しかして、カバー４６０においては、円筒壁部４６１が、環状フランジ部４６２にて、環状支持部材４３０のフランジ４３０ａ上に載置されて当該フランジ４３０ａとユニット基板４１０の環状穴部４１５との間に挟持され、カバー開口部４６３が、レンズ部材４５０の各フランジ片４５２を環状支持壁４３１の一端開口部４３１ａ上に挟持している（図９参照）。
【００７５】
これにより、カバー開口部４６３は、レンズ部材４５０の各両隣接フランジ片４５２の間の領域に対向する各部位にて、当該領域を通し各ＬＥＤ４４０ｂの発光部４４４に直接対向している。なお、円筒壁部４６１は、その他端開口部にて、環状支持壁４３１の一端開口部４３１ａと同様に傾斜状に形成されている。また、レンズ部材４５０は、その平凸レンズ４５０ａにて、カバー４６０のカバー開口部４６３を通り外方へ突出している。
【００７６】
水晶球４２０は、レンズ部材４５０の平凸レンズ４５０ａにその底面側から当接するように、環状支持壁４３１内に収容されて、図示しない環状固定板でもって、固定されている。なお、当該環状固定板は、環状支持部材４３０のフランジ４３０ａにその裏面側から同軸的に取り付けられている。
【００７７】
しかして、当該水晶球４２０は、上記環状固定板を通し制御光を受光して平凸レンズ４５０ａを通しカバー開口部４６３から外方へ演出光として出射させるようになっている。
【００７８】
なお、左側光装飾ユニット４００は、右側光装飾ユニット４００と同様に構成されて、この右側光装飾ユニット４００と同様にして、板状前枠３１０の左上側隅角面に取り付けられている。
【００７９】
また、前扉３００は、図１にて示すごとく、上皿ユニット５００を備えており、この上皿ユニット５００は、前扉３００の前面から前方へ延出するように、当該前扉３００にその前面側から窓穴部３１１の直下にて着脱可能に装着されている。なお、図１にて、符号６００は、遊技機本体２００の前面から上皿ユニット５００の直下にて着脱可能に延出する下皿ユニットを示す。
【００８０】
当該上皿ユニット５００は、図１１〜図１３のいずれか１つから分かるように、基台５１０、支持部材５２０、発光基板部材５３０、収容部材５４０及び上皿５５０を備えている。
【００８１】
基台５１０は、図１３にて示すごとく、半楕円板状底壁５１１と、この底壁５１１の前側縁部から断面Ｌ字状に上方へ延出する半楕円円周状前壁５１２と、この半楕円円周状前壁５１２の延出縁部から後方へＬ字状に延出する半楕円帯状上壁５１３とを備えている。なお、切欠５１３ａは、上壁５１３の左右方向中央の後縁部からその前方に向け切り欠かれて形成されている。
【００８２】
支持部材５２０は、発光基板部材５３０と共に、収容部材５４０内に収容されているもので、この支持部材５２０は、Ｌ字状壁５２０ａ及び４つのフック５２０ｂを有するように、図１３にて示す形状にて、ポリプロピレン樹脂材料でもって一体的に形成されている。
【００８３】
Ｌ字状壁５２０ａはその長手方向には半楕円帯状に形成されており、このＬ字状壁５２０ａは、図１３にて示すごとく、半楕円帯状支持壁部５２１を半楕円帯状底壁部５２２の後縁部から上方へ断面Ｌ字状に延出させて構成されている。
【００８４】
また、４つのフック５２０ｂは、それぞれ、支持片５２３及び両フック片５２４を有している。フック５２０ｂ毎に、支持片５２３は、半楕円帯状支持壁部５２１に形成した４つの切欠５２１ａのうち対応切欠５２１ａの底部から支持壁部５２１の後縁部側へ延出している。
【００８５】
ここで、各切欠５２１ａは、それぞれ、支持壁部５２１にその延出端部から当該支持壁部５２１の後縁部に向け切り欠かれて形成されている。なお、各切欠５２１ａは、支持壁部５２１の長手方向においてほぼ等間隔に形成されている。
【００８６】
また、フック５２０ｂ毎に、両フック片５２４は、図１５にて示すごとく、支持壁部５２１に形成した４つの係止孔部５２１ｂ（図１３参照）のうち対応係止孔部５２１ｂに係止するもので、当該両フック片５２４は、図１３にて示すごとく、支持片５２３の延出端部から上方へ延出している。
【００８７】
ここで、当該両フック片５２４は、フック５２０ｂ毎に、光装飾ユニット４００の両フック片４３２ｂと同様に構成されている。また、各係止孔部５２１ｂは、それぞれ、各切欠５２１ａよりも底壁部５２２の後縁部側の位置にて当該各切欠５２１ａの底部に対応するように支持壁部５２１に形成されている。
【００８８】
発光基板部材５３０は、図１３にて示すごとく、ＦＰＣ５３０ａ及び９つのＬＥＤ５３０ｂ（図１３及び図１５では８つのＬＥＤ５３０ｂのみを示す）を備えている。
【００８９】
ＦＰＣ５３０ａは、各ＬＥＤ５３０ｂの駆動制御に必要なプリント配線をフレキシブル基板に印刷して構成されている。当該ＦＰＣ５３０ａは、各切欠５３１及び各挿通孔部５３２にて、図１５から分かるごとく、それぞれ、各対応の切欠５２１ａ及び各係止孔部５２１ｂに重なるように、支持壁部５２１の前面に沿い後述のように支持されている。
【００９０】
ここで、各切欠５３１は、ＦＰＣ５３０ａの支持壁部５２１に対する支持状態にて、支持壁部５２１の各切欠５２１ａと重なるように、ＦＰＣ５３０ａの幅方向上端部５３２ａから幅方向下端部５３２ｂ（図１３参照）に向け各切欠５２１ａと同一の形状に切り欠かれて形成されている。また、各挿通孔部５３２は、ＦＰＣ５３０ａの支持壁部５２１に対する保持状態にて、当該支持壁部５２１の各係止孔部５２１ｂに重なるように、各切欠５３１よりもＦＰＣ５３０ａの幅方向下端部５３２ｂ側の位置にて、当該ＦＰＣ５３０ａに形成されている。
【００９１】
このように構成したＦＰＣ５３０ａは、図１４及び図１５にて示すごとく、支持壁部５２１にその各フック５２０ｂでもって次のように支持されている。即ち、各フック４３２は、支持片４３２ａにて、互い重なっている切欠５３１、５２１ｂの内部を介し前面側へ折り曲げられて、両フック片５２４によりその各頭部ａ１から、その弾力に抗して、互い重なる挿通孔部５３２及び係止孔部５２１ａを通り挿通されて、各頭部ａ１にて、係止孔部５２１ａに抜け止め係止されている。
【００９２】
９つのＬＥＤ５３０ｂは、図１３においてＦＰＣ５３０ａの４つの挿通孔部５３２のうち、各両隣接挿通孔部５３２の間において、ＦＰＣ５３０ａの前面に、３つずつ、装着されている。ここで、各ＬＥＤ５３０ｂは、それぞれ、その発光部５３３（図１５参照）にて、ＦＰＣ５３０ａの幅方向上端部５３２ａ側に向け発光するように、ＦＰＣ５３０ａの前面に装着されている。
【００９３】
収容部材５４０は、図１２にて示すごとく、基台５１０の半楕円帯状上壁５１３上に着脱可能に載置固定されており、当該収容部材５４０は、図１３或いは図１４にて示すごとく、半楕円帯状上壁５４１及び半楕円帯状の前後両壁５４２、５４３でもって、透光性樹脂材料によって、前扉３００の前面から前方へ半楕円帯状に延出し、かつ下方に向け開口するように断面コ字状に形成されている。
【００９４】
この収容部材５４０の内部には、上述のように発光基板部材５３０が、これを支持してなる支持部材５２０と共に収容されている。ここで、発光基板部材５３０の各ＬＥＤ５３０ｂが、ＦＰＣ５３０ａよりも収容部材５４０の前壁５４２側に位置し、かつ発光部５３３にて、当該収容部材５４０の上壁５４１を臨むように、支持部材５２０が、その底壁部５２２にて、基台５１０の上壁５１３上に着座して固定されている。これにより、各ＬＥＤ５３０ｂは、発光部５３３にて発光し収容部材５４０の上壁５４１を通し透光するようになっている。
【００９５】
上皿５５０は、図１１にて示すごとく、収容部材５４０内にその後壁５４３側から嵌装されているもので、この上皿５５０は、その内部に払い出される遊技球を貯留する。当該上皿５５０は、図１３にて示すごとく、半楕円板状底壁５５１と、この底壁５５１の前側縁部から断面Ｌ字状に上方へ延出する半楕円帯状前壁５５２と、この前壁５５２の上縁右側部位から後方へ断面Ｌ字状に延出する上壁５５３とを備えている。
【００９６】
しかして、上皿５５０は、その前壁５５２にて、収容部材５４０の後壁５４３に当接し、その底壁５５１にて、基台５１０の底壁５１１に対向するように、収容部材５４０に上述のごとく嵌装されている。
【００９７】
以上のように構成した本実施形態において、例えば、右側光装飾ユニット４００では、複数のＬＥＤ４４０ｂを、ＦＰＣ４４０ａの配線部を通して駆動することで、当該複数のＬＥＤ４４０ｂは、その各発光部４４４から環状支持壁４３１の一端開口部４３１ａ側へ発光して、レンズ部材４５０のレンズ４５１をその周囲から光でもって装飾する。このため、当該レンズ４５１を通して水晶球４２０を視認すると、この水晶球４２０も、上述の光でもって装飾されて見える。その結果、右側光装飾ユニット４００の光による装飾効果が確保され得る。
【００９８】
ここで、上述のごとく、複数のＬＥＤ４４０ｂは、その各発光部４４４から環状支持壁４３１の一端開口部４３１ａ側へ発光する。このため、環状支持壁４３１は、その一端開口部４３１ａの外周に沿い、複数のＬＥＤ４４０ｂの光でもって環状に区画される。これにより、環状支持壁４３１においてその一端開口部４３１ａの輪郭が複数のＬＥＤ４４０ｂの光でもって強調され得る。このことは、環状支持壁４３１における一端開口部４３１ａの輪郭を複数のＬＥＤ４４０ｂの光でもって強調するような光デザインの実現が可能であることを意味する。
【００９９】
また、ＦＰＣ４４０ａを複数のＬＥＤ４４０ｂと共に環状支持壁４３１に支持するにあたっては、まず、複数のＬＥＤ４４０ｂを上述のようにＦＰＣ４４０ａに装着してなる発光基板部材４４０を、ＦＰＣ４４０ａにて環状支持壁４３１の外面にその周方向にて沿わせる。
【０１００】
そして、ＦＰＣ４４０ａを介し複数のフック４３２の各々を折り曲げて、各フック４３２の延出先端部を、フレキシブルプリント配線板４４０の環状支持壁４３１とは反対側の面から当該ＦＰＣ４４０ａの各挿通孔部４４２を通し環状支持壁４３１の各対応の係止孔部４３１ｃに挿通して当該各対応の係止孔部４３１ｃに係止することで、ＦＰＣ４４０ａを複数のＬＥＤ４４０ｂと共に環状支持壁４３１に支持する。
【０１０１】
また、複数のフック４３２の延出先端部が、上述のように、構成されているので、複数のフックが、それぞれ、複数の頭部ａ１にて、対応の係止孔部４３１ｃにしっかりと抜け止めされて係止され得る。
【０１０２】
また、ＦＰＣ４４０ａが、複数のフック４３２による環状支持壁４３１に対する支持に加えて、環状支持壁４３１の上記他端開口部側にて、当該環状支持壁４３１と環状保持壁４３０ｃとの間に保持される。このため、当該ＦＰＣ４４０ａは、その幅方向両端部にて、環状支持壁４３１に支持されることとなる。その結果、ＦＰＣ４４０ａは、その全体に亘り、環状支持壁４３１に良好に支持され得る。
【０１０３】
また、支持部材４３０は、環状支持壁４３１及び複数のフック４３２を、上述のごとき構成を有するように、ポリプロピレン樹脂材料でもって一体的に形成されている。従って、上述のようなフレキシブルプリント配線板４４０ａの環状支持壁４３１に対する支持作業が、複数のフック４３２の弾性を利用して容易になされ得る。
【０１０４】
また、ＦＰＣ４４０ａ及び複数の発光ダイオード４４０ｂがカバー４６０により包囲されることとなり、その結果、当該ＦＰＣ４４０ａは、複数の発光ダイオード４４０ｂと共に、カバー４６０により、外部から良好に保護され得る。
【０１０５】
また、右側光装飾ユニット４００は、ユニット基板４１０でもって、前扉３００の右上側隅角面に装着される。このことは、右側光装飾ユニット４００が、ユニット化されたものとして、前扉３００に装着されることを意味する。その結果、上述した作用効果が、右側光装飾ユニット４００のユニット化のもとに達成され得る。
【０１０６】
また、当該右側光装飾ユニット４００を前扉３００の板状前枠３１０の右上側隅角面に装着するにあたっては、当該右側光装飾ユニット４００は、板状前枠３１０の右上側隅角面にその前方へ延出するように装着される。
【０１０７】
このような状態では、環状支持壁４３１は、板状前枠３１０の右上側隅角面からその前方へ延出する。このため、複数のＬＥＤ４４０ｂを装着したＦＰＣ４４０ａも、その幅方向において、当該環状支持壁４３１の外周面に沿い板状前枠３１０の右上側隅角面からその前方へ延出することとなる。
【０１０８】
ここで、ＦＰＣ４４０ａは、剛性を有するプリント配線板等の剛性配線回路板とは、異なり、柔軟性を有するから、当該ＦＰＣ４４０ａは、環状支持壁４３１の外周面に沿い適正に支持され得る。
【０１０９】
従って、このＦＰＣ４４０ａは、広い外形寸法を有していても、上述の剛性配線回路板のように、前枠３１０の右上側隅角面の面方向に広いスペースをとることがない。その結果、当該パチンコ遊技機における遊技領域が広いために板状前枠３１０の右上側隅角面に対する右側光装飾ユニット４００の装着スペースが狭くてなっていても、当該右側光装飾ユニット４００は、上述の剛性配線回路板とは異なり、板状前枠３１０の右上側隅角面に適正に装着され得る。
【０１１０】
また、ＦＰＣ４４０ａが環状支持壁４３１の外面に沿うことで、レンズ部材４５０や水晶球４２０に対する光による装飾が、環状支持壁４３１の内部から隔離された状態でなされ得る。このため、複数のＬＥＤ４４０ｂの光の全てが、環状支持壁４３１の一端開口部４３１ａ側へ効率よく進行する。その結果、レンズ部材４５０や水晶球４２０に対する光装飾が、より一層良好になされ得る。
【０１１１】
また、ＦＰＣ４４０ａを介し複数のフック４３２の各々を折り曲げるにあたっては、複数のフック４３２を、環状支持壁４３１の各対応切欠４３１ｂ及びＦＰＣ４４０ａの各対応切欠４４１内を通して折り曲げるので、各フック４３２が、環状支持壁４３１の一端開口部４３１ａからその外方へ突出することがない。その結果、レンズ部材４５０の環状支持壁４３１の一端開口部４３１ａに対する装着が、各フック４３２に邪魔されることなく良好になされ得る。なお、以上述べた右側光装飾ユニット４００の種々の作用効果は、左側光装飾ユニット４００においても、同様に成立する。
【０１１２】
また、上皿ユニット５００においては、発光基板部材５３０が、上述のごとく、支持部材５２０により支持されて、透光性樹脂材料からなる収容部材５４０に収容されている。ここで、当該発光基板部材５３０は、ＦＰＣ５３０ａに９つのＬＥＤ５３０ｂを装着して構成されており、各ＬＥＤ５３０ｂは、その発光部にて、収容部材５４０の上壁５４１を通して上方を臨むようにＦＰＣ５３０ａに装着されている。
【０１１３】
従って、上皿ユニット５００において、各ＬＥＤ５３０ｂを、ＦＰＣ５３０ａの配線部を通して駆動することで、当該各ＬＥＤ５３０ｂは、その各発光部から収容部材５４０の上壁５４１を通して上方に向け発光する。このため、上皿ユニット５００の光による装飾効果が、前扉３００の上皿ユニット５００の上側において良好に確保され得る。
【０１１４】
ここで、ＦＰＣ５３０ａを複数のＬＥＤ５３０ｂと共に支持壁部５２１に支持するにあたっては、まず、複数のＬＥＤ５３０ｂを上述のように装着してなるＦＰＣ５３０ａを支持壁部５２１の前面にその左右方向に沿わせる。
【０１１５】
そして、ＦＰＣ５３０ａを介し支持部材５２０の複数のフック５２０ｂの各々を折り曲げて、各フック５２０ｂの延出先端部を、ＦＰＣ５３０ａの支持壁部５２１とは反対側の面から当該、ＦＰＣ５３０ａの各挿通孔部５３２を通し支持壁部５２１の各対応の係止孔部５２１ｂに挿通して当該各対応の係止孔部５２１ｂに係止する。これにより、ＦＰＣ５３０ａを複数のＬＥＤ５３０ｂと共に支持壁部５２１に支持する作業が容易にかつ簡単になされ得る。
【０１１６】
この場合、支持部材５２０は、支持壁部５２１及び複数のフック５２０ｂを、上述のごとき構成を有するように、ポリプロピレン樹脂材料でもって一体的に形成されている。従って、わざわざ、別途、複数のフックを準備する必要もなく、上述の支持作業が、複数のフック５２０ｂの弾性を利用して容易にかつ簡単になされ得る。
【０１１７】
この場合、上皿ユニット５００においても、複数のフック５２０ｂが、それぞれ、各複数の頭部ａ１にて、上述のように構成されているから、複数のフック５２０ｂは、各複数の頭部ａ１にて、各対応の係止孔部５２１ｂにしっかりと抜け止め係止され得る。
【０１１８】
また、当該上皿ユニット５００を前扉３００に装着するにあたっては、当該上皿ユニット５００は前扉３００の前面にその窓穴部３１１の下側にて前方へ延出するように装着される。このような状態では、支持部材５２０の支持壁部５２１は、前扉３００の前面からその前方へ延出する。このため、複数のＬＥＤ５３０ｂを装着したＦＰＣ５３０ａは、上皿ユニット５００内にて、その幅方向において、支持壁部５２１の前面に沿い前扉３００の前面からその前方へ延出することとなる。
【０１１９】
ここで、上皿ユニット５００において、ＦＰＣ５３０ａは、剛性を有するプリント配線板等の剛性配線回路板とは、異なり、柔軟性を有するから、当該ＦＰＣ５３０ａは、半楕円帯状支持壁部５２１の前面に沿い適正に沿うように位置し得る。
【０１２０】
従って、上皿ユニット５００において、ＦＰＣ５３０ａは、広い外形寸法を有していても、当該ＦＰＣ５３０ａは、上述の剛性配線回路板のように、収容部材５４０の内部にて、前扉３００における装着面の面方向に広い装着スペースをとることがなく、上皿ユニット５００も前扉３００における装着面の面方向には広い装着スペースをとることがない。
【０１２１】
その結果、前扉３００の前面における窓穴部３１１の下側スペースが狭いために、上皿ユニット５００の装着スペースが狭くても、当該上皿ユニット５００は、上述の剛性配線回路板とは異なり、前扉３００の前面における窓穴部３１１の下側スペースに適正に装着され得る。
【０１２２】
以上により、前扉３００の前面における光装飾ユニット４００及び上皿ユニット５００を装着するスペースが狭くても、当該光装飾ユニット４００及び上皿ユニット５００を適正に前扉３００の前面に装着でき、かつこれら光装飾ユニット４００及び上皿ユニット５００によるそれぞれの光装飾効果を相乗的にかつ良好に確保し得るパチンコ遊技機の提供が可能となる。
【０１２３】
なお、本発明の実施にあたり、上記実施形態に限ることなく、次のような種々の変形例が挙げられる。
（１）上記実施形態にて述べたＬＥＤに限ることなく、ランプや蛍光放電管等を採用してもよく、一般的には、発光素子であればよい。
（２）上記実施形態にて述べた発光基板部材は、内側筒壁４３１にその内側から支持するようにしてもよく、また、発光基板部材は、支持壁にその背面側から支持するようにしてもよい。
（３）光装飾ユニット４００は、上記実施形態とは異なり、板状前枠３１０の左上側隅角面及び右上側隅角面の一方に着脱可能に取り付けられてもよい。
（４）複数のフック４３２の延出先端部は、両頭部ａ１に限ることなく、複数の頭部として構成されていてもよい。
（５）支持部材４３０或いは５２０の形成材料は、ポリプロピレン樹脂材料に限ることなく、一般的に、合成樹脂材料であってもよい。
（６）光装飾ユニット４００において、環状支持壁４３１の切欠或いは係止孔部の数やＦＰＣ４４０ａの切欠或いは挿通孔部の数、ＬＥＤ４４０ｂの数は、必要に応じて適宜変更してもよい。このようなことは、上皿ユニット５００においても同様である。
（７）環状支持部材４３０において、ＦＰＣ４４０ａを支持するにあたり、環状支持壁４３１に代えて、半環状支持壁或いは円弧状支持壁を採用してもよく、また、一般的には、湾曲状支持壁を採用してもよい。
（８）環状支持部材４３０の環状支持壁４３１内に収容される部材は、上記実施形態にて述べた水晶球に限ることなく、例えば、スピーカやキャラクターであってもよく、一般的には、光により装飾される対象である被光装飾部材であればよい。
（９）上皿ユニット５００に限ることなく、下皿ユニット６００に対し、上皿ユニット５００のような構成を採用してもよい。これによれば、当該下皿ユニット６００によっても、その直上において、上皿ユニット５００による光装飾効果と同様の効果が得られる。なお、上皿ユニット５００及び下皿ユニット６００を球貯留皿ユニットと把握してもよい。
（１０）環状支持部材４３０において、ＦＰＣ４４０ａの幅方向下端部４４５を保持するにあたり、環状保持壁４３０ｃに代えて、複数の突起を、環状支持壁４３１の外周方向にて間隔をおいて環状フランジ４３０ａの内周縁部側から環状支持壁４３１と同軸的に突出させるようにしてもよい。
【０１２４】
これにより、ＦＰＣ４４０ａの幅方向下端部４４５は、環状支持壁４３１のうち上記複数の突起に対する各対応部と当該複数の突起との間に保持される。なお、環状保持壁４３０ｃ及び上記複数の突起を保持部材として把握してもよい。
（１１）上皿ユニット５００の各構成部材である基台５１０、支持部材５２０、発光基板部材５３０、収容部材５４０及び上皿５５０の各形状は、上記実施形態にて述べた形状に限ることなく、適宜変更して実施してもよい。
【０１２５】
即ち、基台５１０において、底壁５１１は半楕円板状に限ることなく湾曲板状であってもよく、前壁５１２は半楕円円周状に限ることなく湾曲状であってもよく、上壁５１３、は半楕円帯状に限ることなく湾曲帯状であってもよい。
【０１２６】
支持部材５２０において、Ｌ字状壁５２０ａの支持壁部５２１及び底壁部５２２は半楕円帯状に限ることなく湾曲帯状であってもよく、また、底壁部５２２を廃止してもよい。
【０１２７】
収容部材５４０において、上壁５４１及び前後両壁５４２、５４３は、半楕円帯状に限ることなく、湾曲帯状であってもよい。従って、収容部材５４０は、半楕円帯状に限ることなく、湾曲帯状であってもよい。
【０１２８】
また、上皿５５０において、底壁５５１は半楕円板状に限ることなく湾曲板状であってもよく、また、前壁５５２は半楕円帯状に限ることなく湾曲帯状であってもよい。
（１２）環状支持壁４３１は、その一端開口部４３１ａにて、当該環状支持壁４３１の軸方向に沿い、例えば、波状に形成されていてもよい。
【０１２９】
この場合には、ＦＰＣ４４０ａが、剛性配線回路板とは異なり、柔軟性を有することから、当該ＦＰＣ４４０ａを、上記剛性配線回路板とは異なり、幅方向上端部４４３にて、その周方向に沿い、環状支持壁４３１の一端開口部４３１ａにおける上記波形状に合わせた形状となるように容易に形成することができる。従って、各ＬＥＤ４４０ｂのＦＰＣ４４０ａに対する幅方向装着位置を、ＦＰＣ４４０ａの幅方向上端部４４３の波形状に合わせて調整すればよい。
【０１３０】
換言すれば、環状支持壁４３１の一端開口部４３１ａ側の形状が複雑になっていても、上記剛性配線回路板には無いＦＰＣ４４０ａの加工形成のし易さを利用して、当該ＦＰＣ４４０ａを、環状支持壁４３１の一端開口部４３１ａ側の複雑な形状に合わせて加工形成して環状支持壁４３１に支持することができ、これに合わせて各ＬＥＤ４４０ｂのＦＰＣ４４０ａに対する装着位置を調整すればよい。
（１３）本発明の実施にあたり、パチンコ遊技機に限ることなく、アレンジボール遊技機、雀球遊技機、パロット機その他の回胴式遊技機等の各種の遊技機に本発明を適用してもよい。
（１４）本発明の実施にあたり、光装飾ユニット４００は、当該パチンコ遊技機に限ることなく、例えば、ゲーム機に適用してもよい。
【図面の簡単な説明】
【０１３１】
【図１】本発明が適用されるパチンコ遊技機の一実施形態を示す正面図である。
【図２】図１の右側光装飾ユニットの拡大正面図である。
【図３】図１の右側光装飾ユニットの拡大平面図である。
【図４】右側光装飾ユニットの分解斜視図である。
【図５】図４の支持部材の拡大斜視図である。
【図６】図５のフックの拡大側面図である。
【図７】図４の発光基板部材の拡大斜視図である。
【図８】発光基板部材を支持部材に装着した状態を示す拡大斜視図である。
【図９】図２にて９−９線に沿う断面図である。
【図１０】図９の部分拡大断面図である。
【図１１】図１の上皿ユニットの拡大平面図である。
【図１２】図１の上皿ユニットの拡大正面図である。
【図１３】図１の上皿ユニットの拡大分解斜視図である。
【図１４】図１２にて１４−１４線に沿う拡大断面図である。
【図１５】上皿ユニットの発光基板部材の拡大斜視図である。
【符号の説明】
【０１３２】
１００…機枠、２００…遊技機本体、３００…前扉、３２０…窓部材、
４００…光装飾ユニット、４１０…ユニット基板、４１５…環状穴部、４２０…水晶球、
４３０、５２０…支持部材、４３０ｃ…環状保持壁、４３１…環状支持壁、
４３１ａ…一端開口部、４３１ｃ、５２１ｂ…係止孔部、４３２、５２０ｂ…フック、
４４０ａ、５３０…ＦＰＣ、４４０ｂ、５３０ａ…ＬＥＤ、４４２、５３２…挿通孔部、
４５０…レンズ部材、４５１…レンズ、４６０…筒状カバー、４６３…開口部、
ａ１…頭部、５００…上皿ユニット、５１０…基台、５２１…支持壁、
５４０…収容部材、５５０…上皿。
【図１】
2008125717.tif 000003
【図２】
2008125717.tif 000004
【図３】
2008125717.tif 000005
【図４】
2008125717.tif 000006
【図５】
2008125717.tif 000007
【図６】
2008125717.tif 000008
【図７】
2008125717.tif 000009
【図８】
2008125717.tif 000010
【図９】
2008125717.tif 000011
【図１０】
2008125717.tif 000012
【図１１】
2008125717.tif 000013
【図１２】
2008125717.tif 000014
【図１３】
2008125717.tif 000015
【図１４】
2008125717.tif 000016
【図１５】
2008125717.tif 000017